(57)【要約】　　　（修正有）【課題】装置全体の小型化と構成部品の簡素化を達成できる装置を提供する。【解決手段】カートリッジ６０の先端部に押されて回動する蹴出しレバー５は、シャーシ１上に上下ガタをもって設けられ、シャーシ１上にはホルダ２にカートリッジ６０が挿入された状態で、蹴出しレバー５の周縁部に接して蹴出しレバー５のカートリッジ蹴出し方向の回動を規制する突起が設けられる。蹴出しレバー５は突起の周面及びシャーシ１面に接する向きにバネ付勢されている。ホルダ２からは蹴出しレバー５に引掛かる爪片２５が突出している。蹴出しレバー５は、ホルダ２へカートリッジ６０が挿入された状態で、突起の周面に接してカートリッジ６０の蹴り出しを規制するとともに、下降したホルダ２の爪片２５に引掛かる。蹴出しレバー５は、ホルダ２上昇時に、爪片２５に持ち上げられて突起１５との当接が外れた状態でバネ付勢により回動して、爪片２５から外れると共に、突起１５に被さりカートリッジ６０を蹴り出す。【選択図】　　図６
2004079046.tif 000002
【特許請求の範囲】
【請求項１】
ディスク（６）を内包したカートリッジ（６０）が挿入されるホルダ（２）を、シャーシ（１）上に上下回動自在に設け、カートリッジ（６０）をホルダ（２）から排出する方向に押す排出用部材を具えたディスク記録又は再生装置に於いて、
排出用部材は、シャーシ（１）上に上下ガタを存じて回動自在に設けられ、カートリッジ（６０）の先端部に押されて回動する蹴出しレバー（５）であり、シャーシ（１）上には、ホルダ（２）にカートリッジ（６０）が挿入された状態で、蹴出しレバー（５）の周縁部に接して蹴出しレバー（５）のカートリッジ蹴出し方向の回動を規制する突起（１５）が設けられ、蹴出しレバー（５）は突起（１５）の周面及びシャーシ（１）面に接する向きにバネ付勢され、
ホルダ（２）からは蹴出しレバー（５）に引掛かる爪片（２５）が突出し、
蹴出しレバー（５）は、ホルダ（２）へカートリッジ（６０）が挿入された状態で、突起（１５）の周面に接してカートリッジ（６０）の蹴り出しを規制するとともに、下降したホルダ（２）の爪片（２５）に引掛かった第１の位置と、
ホルダ（２）上昇時に、爪片（２５）に持ち上げられて突起（１５）との当接が外れた状態でバネ付勢により回動して、爪片（２５）から外れるとともに、突起（１５）に被さりカートリッジ（６０）を蹴り出す第２の位置との間を回動することを特徴とするディスク記録又は再生装置。
【請求項２】
第１の位置にて、蹴出しレバー（５）をバネ付勢する方向は、突起（１５）の略中心を通る請求項１に記載のディスク記録又は再生装置。
【請求項３】
ディスク（６）を内包したカートリッジ（６０）が挿入されるホルダ（２）を、シャーシ（１）上に上下回動自在に設け、カートリッジ（６０）をホルダ（２）から排出する方向に押す排出用部材を具えたディスク記録又は再生装置に於いて、
排出用部材は、シャーシ（１）上に上下ガタを存じて回動自在に設けられ、カートリッジ（６０）の先端部に押されて回動する蹴出しレバー（５）であり、蹴出しレバー（５）とシャーシ（１）の何れか一方に突起（１５）が設けられ、他方には該突起（１５）が嵌まる位置決め孔（１８）が開設され、
突起（１５）は、ホルダ（２）にカートリッジ（６０）が挿入された状態で、蹴出しレバー（５）又はシャーシ（１）に嵌まって蹴出しレバー（５）のカートリッジ蹴出し方向の回動を規制し、蹴出しレバー（５）は突起（１５）が位置決め孔（１８）から離れる向き及びシャーシ（１）面に接する向きにバネ付勢され、
ホルダ（２）からは蹴出しレバー（５）に引掛かる爪片（２５）が突出し、
蹴出しレバー（５）は、ホルダ（２）へカートリッジ（６０）が挿入された状態で、突起（１５）が位置決め孔（１８）に嵌まってカートリッジ（６０）の蹴り出しを規制するとともに、下降したホルダ（２）の爪片（２５）に引掛かった第１の位置と、
ホルダ（２）上昇時に、爪片（２５）に持ち上げられて突起（１５）と位置決め孔（１８）の嵌合が外れた状態でバネ付勢により回動して、爪片（２５）から外れるとともに、カートリッジ（６０）を蹴り出す第２の位置との間を回動することを特徴とするディスク記録又は再生装置。
【発明の詳細な説明】
【０００１】
【発明の属する技術分野】
本発明は、カートリッジに収容されたディスクの記録又は再生装置に関するものである。
【０００２】
【従来の技術】
図１３は、出願人が以前提案したカートリッジ（６０）の斜視図である（国際公開公報ＷＯ０１／０４９００号参照）。カートリッジ（６０）内にはディスク（６）が回転自在に収納されている。カートリッジ（６０）の一側部には、凹溝（６２）が形成され、上面には凹面（６５）が形成されている。凹面（６５）内にはシャッタ（６１）がスライド可能に配備され、該シャッタ（６１）は凹溝（６２）に被さる。シャッタ（６１）の側面には、孔（６７）が開設され、シャッタ（６１）はカートリッジ（６０）内のネジリバネ（６６）により閉じ方向に付勢されており、シャッタ（６１）は不用意に開いても自動的に閉じる。カートリッジ（６０）の底面には、凹部（６４）が設けられ、後記するように凹部（６４）はスライド片（３）に係合する。シャッタ（６１）が開いて、カートリッジ（６０）内のディスク（６）の一部が露出し、信号の記録又は再生ができる。
図１４は、図１３のカートリッジ（６０）を用いるディスク記録又は再生装置の分解斜視図である（特開２０００−３３９８１１号参照）。以下の記載では、カートリッジ（６０）を挿入する方向を前方、カートリッジ（６０）を排出する方向を後方とする。
シャーシ（１）上には、ピックアップ（７２）がターンテーブル（７３）に接近離間可能に設けられ、シャーシ（１）の一端部には、ホルダ（２）の一端部が枢支される。該ホルダ（２）にカートリッジ（６０）が挿入される。シャーシ（１）の前端部隅部には、弾性変形可能な上板（１１）を設けた切換え片（１０）が設けられている。
【０００３】
図１５に示すように、ホルダ（２）の一側部下端からは、支持板（２０）が外向きに突出し、該支持板（２０）にスライド片（３）が設けられている。ホルダ（２）の上面には、スライド片（３）に連繋するロックスライド（４）が設けられ、スライド片（３）及びロックスライド（４）はカートリッジ挿入排出方向に移動可能に設けられている。
スライド片（３）は、後端部から内向きに突出した開き片（３１）と、長手方向の略中央から上向きに延びた突片（３２）と、前端部に位置して先端部が内向きに突出した突部（３０）とを一体に設けている。開き片（３１）はホルダ（２）内に進入してシャッタ（６１）の端面に接する。
ロックスライド（４）は、長手方向の中央部から前端部に向かって延びた係合爪（４０）と、長手方向の略中央から外向きに突出したバネ掛け片（４２）を一体に具えている。係合爪（４０）は下向きに弾性変形可能で先端に斜面（４３）を形成し、基端部から押し板（４１）が外向きに突出している。前記切換え片（１０）（図１４参照）は係合爪（４０）よりも剛性が稍高い。
【０００４】
ホルダ（２）には、開き片（３１）が進入する開口（２１）と、該開口（２１）よりも前方に位置する嵌合孔（２２）が開設されている。カートリッジ（６０）がホルダ（２）に挿入完了した状態で嵌合孔（２２）に突部（３０）が嵌まる。嵌合孔（２２）の上側には、ロックスライド（４）の係合爪（４０）が引掛かる係合板（２３）が外向きに突出している。
ホルダ（２）の後端部に設けられたフック（２４）とロックスライド（４）のバネ掛け片（４２）とに掛けられる引張りバネ（８５）により、ロックスライド（４）は後方に付勢される。スライド片（３）の突片（３２）はバネ掛け片（４２）の後側に当接し、該当接によりロックスライド（４）はスライド片（３）を後方に付勢する。この引張りバネ（８５）の付勢力は、前記カートリッジ（６０）内のネジリバネ（６６）のシャッタ付勢力よりも大きい。
【０００５】
カートリッジ（６０）は、ホルダ（２）の上向き姿勢にて挿入される。図１６（ａ）、（ｂ）は、ホルダ（２）の上昇位置の側面図である。また、図１７（ａ）、（ｂ）、図１８（ａ）、（ｂ）は、図１６（ａ）、（ｂ）をＡ１方向から見てホルダ（２）の上面を破断した図であり、カートリッジ（６０）のホルダ（２）への挿入状態を示す。図１７（ａ）、（ｂ）、図１８（ａ）、（ｂ）にあってはロックスライド（４）及び引張りバネ（８５）を図示しない。図１７（ａ）に示す状態から、カートリッジ（６０）をホルダ（２）に挿入すると、スライド片（３）の開き片（３１）がカートリッジ（６０）の凹溝（６２）に嵌まり、シャッタ（６１）に接する。スライド片（３）を後方に付勢する引張りバネ（８５）の力は、カートリッジ（６０）のネジリバネ（６６）の力よりも大きいから、図１７（ｂ）に示すように、カートリッジ（６０）を押してもスライド片（３）は移動しない。シャッタ（６１）はネジリバネ（６６）に抗して開く。
【０００６】
シャッタ（６１）が開き完了すると、シャッタ（６１）は凹面（６５）の後端縁に接する。更にカートリッジ（６０）を押し込む。シャッタ（６１）はこれ以上開かないから、スライド片（３）の開き片（３１）を押す。スライド片（３）は前進し、図１８（ａ）に示すように、突部（３０）が嵌合孔（２２）を通って、カートリッジ（６０）の凹部（６４）に嵌まる。カートリッジ（６０）は挿入完了状態を保つ。
一方、スライド片（３）の突片（３２）とロックスライド（４）のバネ掛け片（４２）が接しているから、スライド片（３）が押されるとロックスライド（４）は引張りバネ（８５）に抗して前進する。図１６（ａ）に示す状態から係合爪（４０）の斜面（４３）がホルダ（２）の係合板（２３）に接して、係合爪（４０）が撓み変形する。斜面（４３）が係合板（２３）を通過すると、図１６（ｂ）に示すように、係合爪（４０）が弾性復帰して係合板（２３）に引掛かる。
ロックスライド（４）のカートリッジ排出方向の移動は規制され、カートリッジ（６０）は突部（３０）との係合状態を保つ。
【０００７】
記録又は再生時には、カートリッジ（６０）の挿入完了状態にて、ホルダ（２）を下降させる。図１９（ａ）、（ｂ）、（ｃ）は切換え片（１０）と係合爪（４０）の拡大側面図である。図１９（ａ）に示す状態から、ホルダ（２）を下降させると、ロックスライド（４）の押し板（４１）が切換え片（１０）の上板（１１）に接する。係合爪（４０）は係合板（２３）に接して上向きの撓み変形を規制されているから、ロックスライド（４）が上板（１１）を撓み変形させつつ、ホルダ（２）が下降する。ホルダ（２）が下降完了すると、係合爪（４０）は上板（１１）を通過し、上板（１１）は弾性復帰する（図１９（ｂ）参照）。
記録又は再生が終了し、使用者がホルダ（２）からカートリッジ（６０）を取り出すときは、ホルダ（２）を手で回動上昇させる。
ホルダ（２）が回動上昇すると、ロックスライド（４）の押し板（４１）と、切換え片（１０）の上板（１１）が接する。上板（１１）は係合爪（４０）よりも剛性が高いから、図１９（ｃ）に示すように、上板（１１）は係合爪（４０）を下向きに撓み変形させる。係合爪（４０）と係合板（２３）の引掛かりが外れ、図１６（ｂ）に示す状態からロックスライド（４）は前記引張りバネ（８５）により、カートリッジ排出方向に移動する。
ロックスライド（４）のバネ掛け片（４２）が、スライド片（３）の突片（３２）を押して、図１８（ａ）に示す突部（３０）とカートリッジ（６０）の凹部（６４）との嵌合を解除する。スライド片（３）はカートリッジ排出方向に移動し、図１８（ｂ）に示すように、スライド片（３）は開き状態のシャッタ（６１）を押して、カートリッジ（６０）を排出方向に押す。
【０００８】
【発明が解決しようとする課題】
斯種装置は、一層の小型化が求められており、出願人は上記の装置について、切換え片（１０）を除去し、装置の幅を小さくすることを着想した。また、スライド片（３）のホルダ（２）への係合と係合解除を切り換える機構を簡素化し、構成部品を減らすことも着想した。
本発明の目的は、装置全体の小型化と構成部品の簡素化を達成できる装置を提供することにある。
【０００９】
【課題を解決する為の手段】
カートリッジ（６０）をホルダ（２）から排出する方向に押す排出用部材は、シャーシ（１）上に上下ガタを存じて回動自在に設けられ、カートリッジ（６０）の先端部に押されて回動する蹴出しレバー（５）であり、シャーシ（１）上にはホルダ（２）にカートリッジ（６０）が挿入された状態で、蹴出しレバー（５）の周縁部に接して蹴出しレバー（５）のカートリッジ蹴出し方向の回動を規制する突起（１５）が設けられ、蹴出しレバー（５）は突起（１５）の周面及びシャーシ（１）面に接する向きにバネ付勢されている。
ホルダ（２）からは蹴出しレバー（５）に引掛かる爪片（２５）が突出し、
蹴出しレバー（５）は、ホルダ（２）へカートリッジ（６０）が挿入された状態で、突起（１５）の周面に接してカートリッジ（６０）の蹴り出しを規制するとともに、下降したホルダ（２）の爪片（２５）に引掛かった第１の位置と、
ホルダ（２）上昇時に、爪片（２５）に持ち上げられて突起（１５）との当接が外れた状態でバネ付勢により回動して、爪片（２５）から外れるとともに、突起（１５）に被さりカートリッジ（６０）を蹴り出す第２の位置との間を回動する。
【００１０】
【作用及び効果】
カートリッジ挿入
カートリッジ（６０）がバネ付勢に抗して、蹴出しレバー（５）を押して回動させると、蹴出しレバー（５）の下面は突起（１５）から離れる。バネにより蹴出しレバー（５）はシャーシ（１）面に接する向きに付勢されているから、蹴出しレバー（５）はシャーシ（１）に接して、蹴出しレバー（５）の周縁部が突起（１５）の周面に接する。蹴出しレバー（５）は回動を規制され、カートリッジ（６０）は排出方向に押されない。
この状態で、ホルダ（２）が下降すると、爪片（２５）が蹴出しレバー（５）に引掛かる。
カートリッジ排出
ホルダ（２）を持ち上げると、爪片（２５）が蹴出しレバー（５）に引掛かっているから、蹴出しレバー（５）がバネ付勢に抗して上下ガタ分持ち上げられる。蹴出しレバー（５）と突起（１５）の当接が外れ、蹴出しレバー（５）は回動規制を解除される。蹴出しレバー（５）はバネ付勢により回動し、突起（１５）の上に乗り上げる。蹴出しレバー（５）が回動するから、カートリッジ（６０）はホルダ（２）から蹴り出される。即ち、蹴出しレバー（５）を上下移動させることにより、蹴出しレバー（５）とシャーシ（１）との係合と係合解除を切り換えるから、図１４に示す従来の構成に比して、切換え片（１０）が不要となり、構成が簡素になる。また、切換え片（１０）が不要となるから、横幅も小さくなり、装置全体を小型化できる。
【００１１】
【発明の実施の形態】
（全体構成）
本例にあっては、カートリッジ（６０）のホルダ（２）内への保持と保持解除を切り換える機構を簡素化した点に特徴がある。また、ホルダ（２）に挿入されるカートリッジ（６０）は従来と同じものである。
図１は、本例に係わるディスク記録又は再生装置の分解斜視図であり、図２は、ホルダ（２）を前方から見た図である。シャーシ（１）上には、ピックアップ（７２）がターンテーブル（７３）に接近離間可能に設けられ、シャーシ（１）の一端部には、ホルダ（２）の一端部が回動可能に嵌まる突軸（１２）が設けられている。ホルダ（２）には従来と同様に、カートリッジ（６０）が挿入され、ホルダ（２）から側方に突出した支持板（２０）には、スライド片（３）が設けられている。スライド片（３）の後端部には、カートリッジ（６０）のシャッタ（６１）の孔（６７）に嵌まる嵌まり爪（３３）が設けられており、嵌まり爪（３３）が孔（６７）に嵌まって、シャッタ（６１）はスライド片（３）によって開閉される。スライド片（３）の作用は従来と同様であり、説明を省く。
【００１２】
ホルダ（２）の下端部からは、内向きに弾性変形可能な爪片（２５）が下向きに突出し、該爪片（２５）はホルダ（２）の下面に繋がる脚片（２６）と、該脚片（２６）の下端部からカートリッジ挿入方向に伸びた掛かり片（２７）を具えている。爪片（２５）は、下方に向かって斜め下向きに傾いている（図２参照）。
シャーシ（１）上には、カートリッジ（６０）をホルダ（２）から排出する向きに回動する蹴出しレバー（５）が設けられている。
図３は、蹴出しレバー（５）とシャーシ（１）の斜視図であり、図４は、蹴出しレバー（５）を図３のＡ方向から見た斜視図である。蹴出しレバー（５）は、シャーシ（１）の嵌め孔（１３）に取り付けられる枢軸（１４）に上下ガタを存じて嵌まり、枢軸（１４）を回動中心とする。
シャーシ（１）上にて嵌め孔（１３）の周囲には、蹴出しレバー（５）の一部が露出する透孔（１６）、蹴出しレバー（５）が接する突起（１５）、前端部が開口した切欠き（１７）及びバネ掛け軸（８０）が設けられ、蹴出しレバー（５）はバネ掛け軸（８０）との間にて、シャーシ（１）に対し斜めに掛けられる引張りバネ（８）によって反時計方向且つ下向きに付勢される。
突起（１５）は上面が凸状に膨らみ、突起（１５）の高さは蹴出しレバー（５）の厚みに略等しい。蹴出しレバー（５）は突起（１５）に乗り上げることも、周縁部が突起（１５）に接することもできる。蹴出しレバー（５）の周縁部が突起（１５）に接すると、バネ付勢による回動を規制される。
【００１３】
図４に示すように、蹴出しレバー（５）はカートリッジ（６０）の先端部に押される接片（５３）を立てて設けた上板（５０）と、該上板（５０）から一段下向きに折曲された下板（５２）を繋ぎ板（５１）にて接続して構成され、上板（５０）は周縁部が突起（１５）に接する舌片（５４）を有している。下板（５２）には、前記の枢軸（１４）に嵌まる孔（５５）が開設され、バネ掛け片（５６）を下向きに突出している。下板（５２）の側部には、当たり片（５７）が形成され、後記の如く、該当たり片（５７）はホルダ（２）の昇降時に爪片（２５）に接して、爪片（２５）を内向きに撓み変形させる。該当たり片（５７）の内側端面には、テーパ面（５８）が形成され、爪片（２５）を内向きに撓み変形させ易くしている。
図３に示すように、蹴出しレバー（５）は繋ぎ板（５１）がシャーシ（１）の切欠き（１７）に嵌まって、上板（５０）がシャーシ（１）の上面に、下板（５２）がシャーシ（１）の下面に対向する。当たり片（５７）は透孔（１６）から露出し、該透孔（１６）の上方から爪片（２５）が嵌まる。枢軸（１４）を挟んで接片（５３）とバネ掛け片（５６）は、互いに反対側に位置する。
【００１４】
（カートリッジ挿入時）
図５は、カートリッジ（６０）がホルダ（２）に挿入されない待機状態に於いて、シャーシ（１）及びホルダ（２）を前方から見た図であり、ホルダ（２）が上昇している。蹴出しレバー（５）は舌片（５４）が突起（１５）に乗り上げている。蹴出しレバー（５）がこの状態になる理由は後記する。
図６（ａ）は、ホルダ（２）にカートリッジ（６０）を挿入せんとする状態、図６（ｂ）は、ホルダ（２）にカートリッジ（６０）を挿入した状態の側面図であり、ホルダ（２）を破断している。また、図７（ａ）、（ｂ）は、蹴出しレバー（５）の平面図であり、（ａ）は蹴出しレバー（５）が突起（１５）に乗り上げた状態を、（ｂ）は蹴出しレバー（５）の周縁部が突起（１５）に接した状態を夫々示している。
待機状態では、図６（ａ）及び図７（ａ）に示すように、蹴出しレバー（５）が突起（１５）に乗り上げている。図６（ｂ）に示すように、カートリッジ（６０）の先端部が引張りバネ（８）に抗して接片（５３）を押すと、蹴出しレバー（５）は図７（ｂ）に示すように、枢軸（１４）を中心に反時計方向に回動する。蹴出しレバー（５）の下面は突起（１５）から離れる。引張りバネ（８）により蹴出しレバー（５）は下向き且つ時計方向に付勢されているから、蹴出しレバー（５）は上板（５０）がシャーシ（１）に接して、舌片（５４）の周縁部が突起（１５）の周面に接する。蹴出しレバー（５）は時計方向の回動を規制され、カートリッジ（６０）は排出方向に押されない。図７（ｂ）に点線で示すように、ホルダ（２）の爪片（２５）は透孔（１６）内に位置して、当たり片（５７）の内側端面に接している。
【００１５】
（ホルダ下降）
図８は、図７（ｂ）のシャーシ（１）をＣ方向から見た断面図であり、ホルダ（２）を破断して示す。また、図９は図８をＤ方向から見た断面図である。爪片（２５）の掛かり片（２７）は当たり片（５７）に接して、ホルダ（２）が下降するに従って、図９に一点鎖線で示すように、透孔（１６）内にて内向きに撓み変形する。図８に一点鎖線で示すように、掛かり片（２７）が当たり片（５７）を通過すると、掛かり片（２７）と当たり片（５７）との当接が外れる。爪片（２５）は撓み復帰して、図１０に示すように、掛かり片（２７）が当たり片（５７）の下面に引掛かる。ホルダ（２）は下降姿勢を保ち、この状態で信号の記録又は再生ができる。
尚、スライド片（３）は、従来と同様に、図１８（ａ）に示すように、突部（３０）が嵌合孔（２２）を通って、カートリッジ（６０）の凹部（６４）に嵌まる。カートリッジ（６０）はホルダ（２）から排出されない。
【００１６】
（カートリッジ排出）
ホルダ（２）からカートリッジ（６０）を排出するときは、図１０に示す状態から手でホルダ（２）を持ち上げる。爪片（２５）が蹴出しレバー（５）の当たり片（５７）に引掛かっているから、蹴出しレバー（５）が引張りバネ（８）に抗して上下ガタ分持ち上げられる。舌片（５４）の周縁部と突起（１５）の周面との当接が外れて、蹴出しレバー（５）のカートリッジ蹴り出し方向の規制が解除される。
図７（ａ）に示すように、蹴出しレバー（５）は引張りバネ（８）により時計方向に回動し、突起（１５）に被さって突起（１５）の上に乗り上げる。突起（１５）は上面が膨らんでいるから、蹴出しレバー（５）は容易に乗り上がる。蹴出しレバー（５）が時計方向に回動するから、カートリッジ（６０）はホルダ（２）から蹴り出される。
図１８（ａ）に示すように、スライド片（３）の突部（３０）がカートリッジ（６０）の凹部（６４）に嵌まっているが、カートリッジ（６０）が蹴り出されることにより、図１８（ｂ）に示すように、突部（３０）が撓んで凹部（６４）から外れ、カートリッジ（６０）はネジリバネ（６６）の反作用でホルダ（２）から排出される。蹴出しレバー（５）は突起（１５）に乗り上げた状態を保ち、前記の如く、待機状態では蹴出しレバー（５）は図７（ａ）に示す位置になる。
【００１７】
本例にあっては、カートリッジ挿入時には、引張りバネ（８）にて下向き付勢された蹴出しレバー（５）をカートリッジ（６０）にて押して回動させて突起（１５）に当接させ、カートリッジ（６０）の蹴り出しを防ぐ。カートリッジ排出時には、蹴出しレバー（５）を持ち上げて突起（１５）との当接を外し、カートリッジ（６０）を蹴り出す。即ち、蹴出しレバー（５）を上下移動させることにより、蹴出しレバー（５）とシャーシ（１）との係合と係合解除を切り換えるから、図１４に示す従来の構成に比して、切換え片（１０）が不要となり、構成が簡素になる。また、切換え片（１０）が不要となるから、横幅も小さくなり、装置全体を小型化できる。
【００１８】
図７（ｂ）に示すカートリッジ（６０）が挿入された状態では、引張りバネ（８）の付勢方向は、突起（１５）の略中心を通る。出願人は、枢軸（１４）の位置、突起（１５）及び引張りバネ（８）の付勢方向を種々検討した結果、カートリッジ（６０）が挿入された状態にて、引張りバネ（８）の付勢方向が、突起（１５）の中心を通れば、蹴出しレバー（５）の突起（１５）との係合と係合解除が最もスムーズに行われることを試作により確認している。即ち、引張りバネ（８）の付勢方向が突起（１５）の中心を通れば、付勢方向が突起（１５）から外れるよりも、突起（１５）に加わるバネ付勢力は大きくなり、引張りバネ（８）と突起（１５）の摩擦も大きくなるから、蹴出しレバー（５）が突起（１５）と係合しやすくなると考えられる。尚、実施例では蹴出しレバー（５）を引張りバネ（８）にて付勢しているが、ネジリバネ（図示せず）にて付勢してもよい。
【００１９】
上記実施例では、爪片（２５）はホルダ（２）の下降時に側方に撓む。しかし、図１１に示すように、爪片（２５）は、カートリッジの挿入排出方向を含みシャーシ（１）面に直交する面内にて前後に弾性変形してもよい。
【００２０】
また、図１２（ａ）、（ｂ）に示すように、突起（１５）を蹴出しレバー（５）の下面に設け、該突起（１５）が嵌まる位置決め孔（１８）をシャーシ（１）に開設してもよい。蹴出しレバー（５）は上記同様に上下ガタを存じて枢軸（１４）に嵌まる。
図１２（ａ）に示すように、待機位置では突起（１５）は位置決め孔（１８）から外れてシャーシ（１）に乗り上げている。蹴出しレバー（５）は引張りバネ（８）によって時計方向且つ下向きに付勢されており、突起（１５）は位置決め孔（１８）から離れる向きに付勢される。
図１２（ｂ）に示すように、カートリッジ（６０）が挿入された状態では、突起（１５）は位置決め孔（１８）に嵌まり、蹴出しレバー（５）はバネ付勢による回動を規制される。ホルダ（２）が上昇して爪片（２５）が蹴出しレバー（５）を持ち上げ、突起（１５）と位置決め孔（１８）の嵌合を解除すれば、引張りバネ（８）により蹴出しレバー（５）は時計方向に回動し、図１２（ａ）に示す位置に戻る。
尚、突起（１５）をシャーシ（１）に設け、蹴出しレバー（５）に位置決め孔（１８）を開設してもよい。この場合、突起（１５）と位置決め孔（１８）の位置は、図１２（ａ）とは逆になる。
【００２１】
上記実施例の説明は、本発明を説明するためのものであって、特許請求の範囲に記載の発明を限定し、或は範囲を減縮する様に解すべきではない。又、本発明の各部構成は上記実施例に限らず、特許請求の範囲に記載の技術的範囲内で種々の変形が可能であることは勿論である。
【図面の簡単な説明】
【図１】本例に係わるディスク記録又は再生装置の分解斜視図である。
【図２】ホルダを前方から見た図である。
【図３】蹴出しレバーとシャーシの斜視図である。
【図４】蹴出しレバーを図３のＡ方向から見た斜視図である。
【図５】待機状態に於いて、シャーシ及びホルダを前方から見た図である。
【図６】（ａ）は、ホルダにカートリッジを挿入せんとする状態、（ｂ）は、ホルダにカートリッジを挿入した状態の側面図である。
【図７】（ａ）、（ｂ）は、蹴出しレバーの平面図であり、（ａ）は蹴出しレバーが突起に乗り上げた状態を、（ｂ）は蹴出しレバーの周縁部が突起に接した状態を夫々示している。
【図８】図７（ｂ）のシャーシをＣ方向から見た断面図である。
【図９】図８をＤ方向から見た断面図である。
【図１０】掛かり片が当たり片の下面に引掛った状態を示す側面断面図である。
【図１１】別の実施例を示す側面断面図である。
【図１２】（ａ）、（ｂ）は、別の実施例に於ける蹴出しレバーの平面図である。
【図１３】出願人が提案したカートリッジの斜視図である。
【図１４】従来のディスク記録又は再生装置の分解斜視図である。
【図１５】従来のホルダとスライド片の分解斜視図である。
【図１６】従来のホルダの上昇位置の側面図であり、（ａ）はカートリッジを挿入せんとする状態を、（ｂ）はカートリッジの挿入完了状態を示す。
【図１７】（ａ）、（ｂ）は、図１６（ａ）、（ｂ）を夫々Ａ１方向から見た図である。
【図１８】従来のホルダの断面平面図であり、（ａ）はホルダにカートリッジを挿入せんとする状態を、（ｂ）はカートリッジ挿入途中を示す。
【図１９】（ａ）、（ｂ）、（ｃ）は従来の切換え片と係合爪の拡大側面図である。
【符号の説明】
（１）　　シャーシ
（２）　　ホルダ
（５）　　蹴出しレバー
（６）　　ディスク
（１５）　　突起
（２５）　　爪片
（６０）　　カートリッジ
【図１】
2004079046.tif 000003
【図２】
2004079046.tif 000004
【図３】
2004079046.tif 000005
【図４】
2004079046.tif 000006
【図５】
2004079046.tif 000007
【図６】
2004079046.tif 000008
【図７】
2004079046.tif 000009
【図８】
2004079046.tif 000010
【図９】
2004079046.tif 000011
【図１０】
2004079046.tif 000012
【図１１】
2004079046.tif 000013
【図１２】
2004079046.tif 000014
【図１３】
2004079046.tif 000015
【図１４】
2004079046.tif 000016
【図１５】
2004079046.tif 000017
【図１６】
2004079046.tif 000018
【図１７】
2004079046.tif 000019
【図１８】
2004079046.tif 000020
【図１９】
2004079046.tif 000021